(57)【要約】【課題】携帯端末のおかれた状況に応じて適切に自動ロック設定をする。【解決手段】携帯端末１０は、ＢＴ通信部１６と、無線ＬＡＮ通信部１３及び非接触ＩＣ部１４と、制御メモリ１７と、を備える。制御装置１８は、ＢＴ通信部１６と子機との間でＢＴ接続が確立されているか否かを判別し、無線ＬＡＮ通信部１３及び／又は非接触ＩＣ部１４が受信したデータとポート情報ＰＩ等とに基づいて、携帯端末１０が指定範囲内に位置しているか否かを判別し、子機との間で無線接続が確立されていないと判別し、且つ、携帯端末１０が指定範囲内に位置していないと判別した場合にはロック設定を実行し、子機との間でＢＴ接続が確立されていないと判別した場合であっても、携帯端末１０が指定範囲内に位置していると判別した場合にはロック設定を実行しない。【選択図】図２
2012191437.tif 000002
【特許請求の範囲】
【請求項１】
携帯端末であって、
前記携帯端末のユーザが所持することが想定されている子機と無線通信を行う第１の無線通信手段と、
前記第１の無線通信手段と前記子機との間で無線接続が確立されているか否かを判別する第１の判別手段と、
前記子機以外の外部機器と無線通信を行う第２の無線通信手段と、
前記携帯端末が指定範囲内に位置しているか否かを判別するための基本情報を記憶する記憶手段と、
前記第２の無線通信手段が受信した情報と前記記憶手段が記憶している前記基本情報とに基づいて、前記携帯端末が前記指定範囲内に位置しているか否かを判別する第２の判別手段と、
前記携帯端末の機能の少なくとも一部の機能をロックするロック設定を実行するロック設定手段と、を備え、
前記第２の無線通信手段は、
所定のＬＡＮに接続して無線ＬＡＮ通信を行う無線ＬＡＮ通信部と、外部のリーダ／ライタ部と近接型の無線通信を行う非接触ＩＣ部のいずれか一方又は両方を含み、
前記ロック設定手段は、
前記第１の判別手段が前記無線接続が確立されていないと判別し、且つ、前記第２の判別手段が前記携帯端末が前記指定範囲内に位置していないと判別した場合にはロック設定を実行し、前記第１の判別手段が前記無線接続が確立されていないと判別した場合であっても、前記第２の判別手段が前記携帯端末が前記指定範囲内に位置していると判別した場合にはロック設定を実行しない、
ことを特徴とする携帯端末。
【請求項２】
前記第２の無線通信手段は、前記無線ＬＡＮ通信部を含み、
前記記憶手段が記憶する前記基本情報は、前記無線ＬＡＮ通信部の接続先の予め指定したネットワークを示す情報を含み、
前記第２の判別手段は、前記無線ＬＡＮ通信部が受信した情報と前記予め指定したネットワークを示す情報とに基づいて、前記無線ＬＡＮ通信部が前記予め指定したネットワークと接続している場合に、前記携帯端末が前記指定範囲内に位置していると判別する、
ことを特徴とする請求項１に記載の携帯端末。
【請求項３】
前記第２の無線通信手段は、前記非接触ＩＣ部を含み、
前記記憶手段が記憶する前記基本情報は、予め指定したエリアを示す情報を含み、
前記第２の無線通信手段が受信した情報は、前記非接触ＩＣ部が前記外部のリーダ／ライタ部から受信した所定エリアの利用履歴情報を含み、
前記第２の判別手段は、前記利用履歴情報と前記予め指定したエリアを示す情報とに基づいて、前記携帯端末が前記予め指定したエリア内に位置している場合に、前記携帯端末が前記指定範囲内に位置していると判別する、
ことを特徴とする請求項１又は２に記載の携帯端末。
【請求項４】
前記第２の無線通信手段は、前記非接触ＩＣ部を含み、
前記記憶手段が記憶する前記基本情報は、予め指定したエリアを示す情報を含み、
前記第２の無線通信手段が受信した情報は、前記非接触ＩＣ部が前記外部のリーダ／ライタ部から受信した所定エリアの利用履歴情報を含み、
前記携帯端末は、
前記携帯端末の加速度を検出し、検出した加速度の値を示す加速度情報を生成する加速度センサと、
前記加速度センサから前記加速度情報を取得し、取得した前記加速度情報に基づいて前記携帯端末が移動しているか否かを判別する第３の判別手段と、をさらに備え、
前記第２の判別手段は、
前記利用履歴情報と前記予め指定したエリアを示す情報と第３の判別手段による判別結果とに基づいて、前記携帯端末が前記予め指定したエリア外に位置し、且つ、前記第３の判別手段が前記携帯端末が移動していると判別した場合に、前記携帯端末が前記指定範囲内に位置していると判別する、
ことを特徴とする請求項１又は２に記載の携帯端末。
【請求項５】
ユーザの入力操作に応じて操作信号を生成する操作手段と、
前記操作手段から前記操作信号を取得し、取得した前記操作信号に基づいて一定期間内にユーザの入力操作があったか否かを判別する第４の判別手段と、をさらに備え、
前記第２の判別手段は、
前記第２の無線通信手段が受信した情報と前記基本情報と第４の判別手段による判別結果とに基づいて、前記携帯端末が前記指定範囲内に位置しているか否かを判別する、
ことを特徴とする請求項１乃至４のいずれか１項に記載の携帯端末。
【請求項６】
子機との間で無線接続が確立されているか否かを判別するステップと、
前記子機以外の外部機器と無線通信を行うステップと、
携帯端末が指定範囲内に位置しているか否かを判別するための基本情報を記憶するステップと、
前記外部機器から受信した情報と記憶している前記基本情報とに基づいて、前記携帯端末が前記指定範囲内に位置しているか否かを判別するステップと、
前記携帯端末の機能の少なくとも一部の機能をロックするロック設定を実行するステップと、を備え、
前記子機以外の外部機器と無線通信は、所定のＬＡＮに接続して行う無線ＬＡＮ通信と、外部のリーダ／ライタ部と行う近接型の無線通信のいずれか一方又は両方を含み、
前記子機との間で無線接続が確立されていないと判別し、且つ、前記携帯端末が前記指定範囲内に位置していないと判別した場合にはロック設定を実行し、前記子機との間で前記無線接続が確立されていないと判別した場合であっても、前記携帯端末が前記指定範囲内に位置していると判別した場合にはロック設定を実行しない、
ことを特徴とする自動ロック設定方法。
【請求項７】
コンピュータに、
子機との間で無線接続が確立されているか否かを判別する処理と、
前記子機以外の外部機器と無線通信を行う処理と、
携帯端末が指定範囲内に位置しているか否かを判別するための基本情報を記憶する処理と、
前記外部機器から受信した情報と記憶している前記基本情報とに基づいて、前記携帯端末が前記指定範囲内に位置しているか否かを判別する処理と、
前記携帯端末の機能の少なくとも一部の機能をロックするロック設定を実行する処理と、を実行させ、
前記子機以外の外部機器と無線通信は、所定のＬＡＮに接続して行う無線ＬＡＮ通信と、外部のリーダ／ライタ部と行う近接型の無線通信のいずれか一方又は両方を含み、
前記子機との間で無線接続が確立されていないと判別し、且つ、前記携帯端末が前記指定範囲内に位置していないと判別した場合にはロック設定を実行し、前記子機との間で前記無線接続が確立されていないと判別した場合であっても、前記携帯端末が前記指定範囲内に位置していると判別した場合にはロック設定を実行しない処理と、
を実行させるプログラム。
【発明の詳細な説明】
【技術分野】
【０００１】
本発明は、携帯端末、自動ロック設定方法、及びプログラムに関する。
【背景技術】
【０００２】
携帯端末は、他人による不正使用を防ぐためのセキュリティロック（以下、単にロックともいう）機能を一般的に備えている。しかし、使用の都度、ユーザ自身の操作によりセキュリティロックを設定／解除しなければならないのは煩雑である。この煩雑さを回避するために、自動的にセキュリティロックを設定／解除する技術が知られている。
【０００３】
非特許文献１には、携帯端末と無線通信可能で、携帯端末と共に所持することが想定されている子機との通信状態を利用して自動ロック設定／解除を実行する携帯端末が開示されている。この携帯端末は、自機と子機とが通信圏外になると自動的にロック設定をし、両者が通信圏内になると携帯端末が自動的にロック解除する。
【０００４】
特許文献１には、加速度センサを備え、加速度センサが検知した加速度に基づいて自動ロック設定を実行する携帯端末が開示されている。この携帯端末は、検知した加速度が所定の閾値を上回った場合には、携帯端末が予期せず落下したものとして（つまり、紛失したものとして）、自動的にロック設定を実行する。
【先行技術文献】
【特許文献】
【０００５】
【特許文献１】特開２００９−８８５９１号公報
【非特許文献】
【０００６】
【非特許文献１】ＮＴＴドコモホームページ内、サービス・機能：「あんしんキー」＜ＵＲＬ：ｈｔｔｐ：／／ｗｗｗ．ｎｔｔｄｏｃｏｍｏ．ｃｏ．ｊｐ／ｓｅｒｖｉｃｅ／ｓａｆｔｙ／ａｎｓｈｉｎｋｅｙ／＞
【発明の概要】
【発明が解決しようとする課題】
【０００７】
非特許文献１に開示された携帯端末は、不正使用される可能性が少ないと想定される家の中や会社内であっても、自機と子機とが通信圏外になると自動的にロック設定を実行する。そのため、特にセキュリティロックの必要性がない家の中や会社内であっても、すぐに携帯端末を使用できる状態にしておくには、ユーザは子機を常に所持していなければならず、煩雑である。
【０００８】
特許文献１に開示された携帯端末は、例えばユーザが置き忘れた場合には、加速度が検知されないため、ロック設定を実行しない。そのため、携帯端末のセキュリティ上、十分とは言えないという問題があった。
【０００９】
このように、従来の携帯端末は、ユーザが特にセキュリティロックを必要としない場所であっても自動的にロック設定を実行したり、逆に、置き忘れてしまった場合にロック設定を実行しなかったりと、状況に応じて適切に自動ロック設定を実行できず、ユーザのニーズに応えきれていなかった。
【００１０】
本発明は、上記実情に鑑みてなされたものであり、携帯端末のおかれた状況に応じて適切に自動ロック設定をする携帯端末、自動ロック設定方法、及びプログラムを提供することを目的とする。
【課題を解決するための手段】
【００１１】
上記目的を達成するため、本発明の第１の観点に係る携帯端末は、
前記携帯端末のユーザが所持することが想定されている子機と無線通信を行う第１の無線通信手段と、
前記第１の無線通信手段と前記子機との間で無線接続が確立されているか否かを判別する第１の判別手段と、
前記子機以外の外部機器と無線通信を行う第２の無線通信手段と、
前記携帯端末が指定範囲内に位置しているか否かを判別するための基本情報を記憶する記憶手段と、
前記第２の無線通信手段が受信した情報と前記記憶手段が記憶している前記基本情報とに基づいて、前記携帯端末が前記指定範囲内に位置しているか否かを判別する第２の判別手段と、
前記携帯端末の機能の少なくとも一部の機能をロックするロック設定を実行するロック設定手段と、を備え、
前記第２の無線通信手段は、
所定のＬＡＮに接続して無線ＬＡＮ通信を行う無線ＬＡＮ通信部と、外部のリーダ／ライタ部と近接型の無線通信を行う非接触ＩＣ部のいずれか一方又は両方を含み、
前記ロック設定手段は、
前記第１の判別手段が前記無線接続が確立されていないと判別し、且つ、前記第２の判別手段が前記携帯端末が前記指定範囲内に位置していないと判別した場合にはロック設定を実行し、前記第１の判別手段が前記無線接続が確立されていないと判別した場合であっても、前記第２の判別手段が前記携帯端末が前記指定範囲内に位置していると判別した場合にはロック設定を実行しない、
ことを特徴とする。
【００１２】
上記目的を達成するため、本発明の第２の観点に係る自動ロック設定方法は、
子機との間で無線接続が確立されているか否かを判別するステップと、
前記子機以外の外部機器と無線通信を行うステップと、
携帯端末が指定範囲内に位置しているか否かを判別するための基本情報を記憶するステップと、
前記外部機器から受信した情報と記憶している前記基本情報とに基づいて、前記携帯端末が前記指定範囲内に位置しているか否かを判別するステップと、
前記携帯端末の機能の少なくとも一部の機能をロックするロック設定を実行するステップと、を備え、
前記子機以外の外部機器と無線通信は、所定のＬＡＮに接続して行う無線ＬＡＮ通信と、外部のリーダ／ライタ部と行う近接型の無線通信のいずれか一方又は両方を含み、
前記子機との間で無線接続が確立されていないと判別し、且つ、前記携帯端末が前記指定範囲内に位置していないと判別した場合にはロック設定を実行し、前記子機との間で前記無線接続が確立されていないと判別した場合であっても、前記携帯端末が前記指定範囲内に位置していると判別した場合にはロック設定を実行しない、
ことを特徴とする。
【００１３】
上記目的を達成するため、本発明の第３の観点に係るプログラムは、
コンピュータに、
子機との間で無線接続が確立されているか否かを判別する処理と、
前記子機以外の外部機器と無線通信を行う処理と、
携帯端末が指定範囲内に位置しているか否かを判別するための基本情報を記憶する処理と、
前記外部機器から受信した情報と記憶している前記基本情報とに基づいて、前記携帯端末が前記指定範囲内に位置しているか否かを判別する処理と、
前記携帯端末の機能の少なくとも一部の機能をロックするロック設定を実行する処理と、を実行させ、
前記子機以外の外部機器と無線通信は、所定のＬＡＮに接続して行う無線ＬＡＮ通信と、外部のリーダ／ライタ部と行う近接型の無線通信のいずれか一方又は両方を含み、
前記子機との間で無線接続が確立されていないと判別し、且つ、前記携帯端末が前記指定範囲内に位置していないと判別した場合にはロック設定を実行し、前記子機との間で前記無線接続が確立されていないと判別した場合であっても、前記携帯端末が前記指定範囲内に位置していると判別した場合にはロック設定を実行しない処理と、
を実行させる。
【発明の効果】
【００１４】
本発明によれば、携帯端末のおかれた状況に応じて適切に自動ロック設定をすることができる。
【図面の簡単な説明】
【００１５】
【図１】本発明の一実施形態に係る自動ロック設定システムの構成を説明するための図である。
【図２】携帯端末のブロック図である。
【図３】子機とアクセスポイントと改札機の構成を説明するための図である。
【図４】携帯端末が備える制御装置の機能を説明するための図である。
【図５】自動ロック設定処理のフローチャートである。
【図６】変形例に係る自動ロック設定処理のフローチャートである。
【発明を実施するための形態】
【００１６】
本発明の一実施形態に係る自動ロック設定システムを、図面を参照して説明する。
【００１７】
本実施形態に係る自動ロック設定システム１は、図１に示すように、ユーザが所持する携帯端末１０と、携帯端末１０との間でそれぞれ無線通信可能な、携帯端末１０の子機２０、アクセスポイント３０、及び改札機４０と、を備え、携帯端末１０がユーザの移動状況に応じて、子機２０、アクセスポイント３０、改札機４０の各々との間で無線接続を確立し、種々の通信を実行するシステムである。
【００１８】
図１に示す携帯端末１０は、携帯電話、ＰＨＳ（Personal Handyphone System）、スマートフォン、ＰＤＡ（Personal Digital Assistance）、携帯型コンピュータ、等の可搬型のコンピュータ端末から構成され、いわゆる携帯電話の通信・通話機能を有するのは勿論のこと、所定の場合に後述の自動ロック設定処理を実行し、自動的に携帯端末１０の機能の少なくとも一部をロックするという特有の機能を有する。
【００１９】
携帯端末１０は、図２に示すように、操作部１１と、表示部１２と、無線ＬＡＮ（Local Area Network）通信部１３と、非接触ＩＣ（Integrated Circuit）部１４と、加速度センサ１５と、ＢＴ（ブルートゥース（登録商標））通信部１６と、制御メモリ１７と、ＣＰＵ（Central Processing Unit）等から構成される制御装置１８と、を備える。
【００２０】
操作部１１は、操作ボタン、操作キー等から構成され、ユーザの操作に応答して、操作内容を示す信号（以下、「キー入力信号」という）を制御装置１８に供給する。なお、操作部１１は、表示部１２と一体的に構成されるタッチパネルであってもよい。
【００２１】
表示部１２は、液晶ディスプレイ、有機ＥＬ（Organic Electro-Luminescence：ＯＥＬ）ディスプレイ等から構成され、制御装置１８の制御の下、各種データを表示する。
【００２２】
無線ＬＡＮ通信部１３は、アンテナと無線ＬＡＮ規格（例えばＩＥＥＥ８０２．１１）に準拠した無線ＬＡＮモジュールから構成され、制御装置１８の制御の下、アクセスポイントをサーチして、サーチされたアクセスポイント（本実施形態では、図３（ｂ）に示すアクセスポイント３０）との間で無線ＬＡＮ接続を行う。つまり、本実施形態に係る携帯端末１０は、いわゆるＷＬＡＮ端末である。
【００２３】
非接触ＩＣ部１４は、アンテナとＩＣチップ（例えばモバイルＦｅｌｉｃａ（登録商標）チップ）等から構成され、電磁誘導又は電磁結合により、リーダ／ライタ（本実施形態では、図３（ｃ）に示す改札機４０のリーダ／ライタ部４１）との間で所定の通信方式（例えばＩＳＯ／ＩＥＣ１８０９２規格に準拠したＴｙｐｅＣ）による近接型の無線通信を行う。
【００２４】
加速度センサ１５は、例えばＭＥＭＳ（Micro Electro Mechanical Systems）技術を用いた半導体式の加速度センサであり、携帯端末１０の加速度を検知し、検知した加速度を示すデータ（以下、「加速度データ」という）を制御装置１８に供給する。
【００２５】
ＢＴ通信部１６は、アンテナと、１又は複数のＢＴプロファイルに対応したＢＴモジュールとから構成され、他のＢＴ機器（本実施形態では、図３（ａ）に示す子機２０）との間でＢＴ接続（ＢＴ仕様を満たす無線通信）を行う。つまり、ＢＴ通信部１６を備える携帯端末１０は、１又は複数のＢＴプロファイルを有するＢＴ機器である。
なお、携帯端末１０と子機２０とは、既知の手法によりペアリングされており、通信距離内に接近すると自動的にＢＴ接続を確立する。
【００２６】
制御メモリ１７は、ＲＯＭ（Read Only Memory）、ＲＡＭ（Random Access Memory）、フラッシュメモリ等から構成され、制御装置１８のＣＰＵのワークエリア、制御装置１８のＣＰＵが実行する動作プログラムを記憶するプログラムエリア、データエリア等として機能する。
１）プログラムエリアには、通常の通話処理を実行するためのプログラム、アクセスポイント３０との間で無線ＬＡＮ接続を確立するためのプログラム、改札機４０との間で近距離無線通信を行うためのプログラム、ＢＴプロファイルに従ってＢＴ接続を確立するためのプログラム、子機２０が通信距離内にある場合にはロック設定を自動で解除するプログラム、自動ロック設定処理を実行するための図示するプログラムＰＧ（自動ロック設定処理については後述する）、等の動作プログラムが記憶されている。
２）データエリアには、図示するように、アクセスポイント３０の「識別子ＩＤ」、ペアリング済みの他のＢＴ機器と共通の識別コード「リンクキーＬＫ」、携帯端末１０がユーザの把握範囲内にあるとみなせる（つまり、携帯端末１０が紛失状態にないとみなせる）予め指定した無線ＬＡＮ接続先のネットワークを示す「ポート情報ＰＩ」、所定の公共交通機関等の予め指定したエリアを示す「エリア情報ＡＩ」、等が記憶される。
なお、リンクキーＬＫは１又は複数あり、そのうちのいずれかは、子機２０のリンクキーＬＫと共通で、予め指定された形でデータエリアに格納されている。また、ポート情報ＰＩは、１又は複数あり、複数ある場合は、それらの各々が、「ホームネットワーク」、「会社内のイントラネット」、・・というように異なるネットワークを示す。また、エリア情報ＡＩは、１又は複数あり、複数ある場合は、それらの各々が、「公共交通機関（列車区間内）」、「公共交通機関（バス区間内）」、・・というように異なるエリアを示す。また、制御メモリ１７に格納される各データは、既知のデータ登録手法を用いて、デフォルト値として又はユーザ自身の操作によって、適宜格納される。
【００２７】
制御装置１８は、ＣＰＵとＩ／Ｏ（Input / Output）デバイス等の周辺機器とから構成され、制御メモリ１７に格納されている動作プログラムを実行して、この携帯端末１０の各部の動作を制御する。制御装置１８の機能については、後に詳細に述べる。
【００２８】
図１に示す子機２０は、ユーザが携帯端末１０と共に所持することが想定されているＢＴ機器であり、携帯端末１０と通信距離内にある場合に、携帯端末１０とＢＴ接続を行うものである。子機２０が携帯端末１０と通信距離にある場合には、非特許文献１に係る技術のように携帯端末１０のロックは解除される（この自動的にロックが解除される技術は、公知の手法であるため説明を省略する）。本実施形態では、両者が通信距離内にない場合であっても、直ちに自動ロックが設定されないという点が公知技術と異なる。
【００２９】
子機２０は、携帯端末１０が有するプロファイルのいずれかと共通のプロファイルを有するＢＴ機器であり、図３（ａ）に示すように、ＢＴ通信部２１と、制御メモリ２２と、ＣＰＵ２３と、を備える。
【００３０】
ＢＴ通信部２１は、アンテナと、ＢＴプロファイルに対応したＢＴモジュールとから構成され、携帯端末１０との間でのＢＴ接続を行う。
【００３１】
制御メモリ２２は、ＲＯＭ、ＲＡＭ、フラッシュメモリ等から構成され、ＣＰＵ２３のワークエリア、ＣＰＵ２３が実行する動作プログラムを記憶するプログラムエリア、データエリア等として機能する。プログラムエリアには、共通のＢＴプロファイルを有する携帯端末１０との間でＢＴ接続を確立するための動作プログラム等が記憶されており、データエリアには、図示するように、携帯端末１０と共通の「リンクキーＬＫ」が記憶されている。このように、携帯端末１０と子機２０の各々には共通のリンクキーＬＫが記憶され、互いにペアリングされている。
【００３２】
ＣＰＵ２３は、制御メモリ２２に格納されている動作プログラムを実行し、ＢＴ通信部２１を制御して、携帯端末１０との間でＢＴ接続を確立する。これにより、子機２０は、ＢＴ通信部２１を介して携帯端末１０との間でデータの送受信を行うことができる。
【００３３】
図１に示すアクセスポイント３０は、アンテナ、無線ＬＡＮモジュール等から構成され、無線ＬＡＮモジュールが有するメモリにＥＳＳＩＤ（Extended Service Set Identifier）、ＭＡＣアドレス等の、図３（ｂ）に示す自機の「識別子ＩＤ」を記憶している。アクセスポイント３０は、識別子ＩＤが一致する携帯端末１０とのみ無線ＬＡＮ通信を行う。これにより、携帯端末１０は、アクセスポイント３０経由で、家庭内のホームネットワークや、会社内のイントラネットに接続することができる。
【００３４】
図１に示す改札機４０は、鉄道等の駅構内に設けられる非接触式自動改札機であり、アンテナ、リーダ／ライタモジュール等から構成された、図３（ｃ）に示すリーダ／ライタ部４１を備える。
携帯端末１０が、改札機４０のリーダ／ライタ部４１近傍にかざされると、リーダ／ライタ部４１と携帯端末１０は近接型の無線通信を行い、携帯端末１０の非接触ＩＣ部１４に乗車／降車駅に関する情報（以下、「利用履歴データ」という）が書き込まれる。
【００３５】
次に、図４を参照して、携帯端末１０の制御装置１８の機能について説明する。制御装置１８は、キー入力信号の受付、表示制御等の種々の制御を行うが、無線ＬＡＮ通信部１３や非接触ＩＣ部１４等から取得した情報に基づいて、本実施形態に特有の制御を行う。
【００３６】
本実施形態に特有の制御を行う主要な機能部として、制御装置１８は、図示するように、ポート処理部１８ａと、履歴処理部１８ｂと、動作処理部１８ｃと、ＢＴ通信処理部１８ｄと、制御部１８ｅと、セキュリティ処理部１８ｆと、を備える。
【００３７】
ポート処理部１８ａは、無線ＬＡＮ通信部１３から受信したデータに基づいて、携帯端末１０が現在接続しているネットワークを特定し、接続中のネットワークが、制御メモリ１７に格納したポート情報ＰＩが示す予め指定したネットワークであるか否かを判別する。
【００３８】
履歴処理部１８ｂは、非接触ＩＣ部１４から利用履歴データを読み出し、読み出した利用履歴データと制御メモリ１７に格納したエリア情報ＡＩとに基づいて、現在、携帯端末１０が指定した公共交通機関のエリア内に位置するかエリア外に位置するかを判別する。
【００３９】
動作処理部１８ｃは、加速度センサ１５から供給される加速度データに基づいて、携帯端末１０が動いているか否かを判別する。
【００４０】
ＢＴ通信処理部１８ｄは、携帯端末１０とＢＴ接続中のＢＴ機器が、予め指定したＢＴ機器（子機２０）であるか否かを判別する。具体的には、現在接続中のＢＴ機器のリンクキーＬＫと、子機２０のリンクキーＬＫが一致する場合は、接続先のＢＴ機器は子機２０であると判別する。
【００４１】
制御部１８ｅは、携帯端末１０の各部を制御し、主に、図４に示すように、操作部１１、ポート処理部１８ａ、履歴処理部１８ｂ、動作処理部１８ｃ、ＢＴ通信処理部１８ｄから適宜情報を取得し、必要に応じて、セキュリティ処理部１８ｆへロック処理を促すコマンド信号を送信する。
また、制御部１８ｅは、無線ＬＡＮ通信部１３、加速度センサ１５、ＢＴ通信部１６の各々を必要に応じて起動したり、その機能を停止させたりする（ＯＮ／ＯＦＦ制御する）。ＯＮ／ＯＦＦのタイミングについては、後述の自動ロック設定処理についての説明で併せて述べる。
【００４２】
セキュリティ処理部１８ｆは、制御部１８ｅから供給されたコマンド信号に応じて、携帯端末１０の少なくとも一部の機能を停止させるロック設定を行う。
【００４３】
以上の構成からなる自動ロック設定システム１において、携帯端末１０は、無線ＬＡＮ通信部１３、非接触ＩＣ部１４等が受信した種々のデータに基づいて、自機が現在ユーザの把握範囲内であるか把握範囲外であるかを判別する。そして、ユーザの把握範囲内であると判別した場合、携帯端末１０は、子機２０が通信距離外にあったとしても、非特許文献１に係る携帯端末のようにロック設定を実行しない。
以下、このような動作を実現する自動ロック設定処理を図５を参照して説明する。
【００４４】
（自動ロック設定処理）
自動ロック設定処理は、携帯端末１０の制御装置１８によって実行される。この処理は、例えば携帯端末１０の電源がオンされたことを条件に開始される。
【００４５】
制御装置１８は、自動ロック設定処理を開始すると、まず、一定時間内に操作部１１からキー入力信号を取得したか否かを判別する（ステップＳ１０１）。なお、一定時間に達したかどうかは、制御装置１８が図示しないタイマによって計時した時間を基に判別される。この一定時間は、予め制御メモリ１７に格納されているが、ユーザの設定操作により適宜変更できるようにしてもよい。
【００４６】
一定時間内にキー入力信号を取得した場合（ステップＳ１０１；Ｙｅｓ）、制御装置１８は、ステップＳ１０１の処理を再び実行する。
一方、一定時間内にキー入力信号を取得しなかった場合（ステップＳ１０１；Ｎｏ）、携帯端末１０がユーザの把握範囲内にない可能性がある。この場合、制御装置１８は、処理をステップＳ１０２に進める。
【００４７】
ステップＳ１０２で、制御装置１８は、携帯端末１０とアクセスポイント３０との間で無線ＬＡＮ接続が確立されているか否かを判別する。具体的には、制御装置１８は、一定時間内に無線ＬＡＮ通信部１３がアクセスポイント３０からデータを送受信している場合には無線ＬＡＮ接続有りと判別し、そうでない場合には無線ＬＡＮ接続無しと判別する。
なお、携帯端末１０の設定が、アクセスポイント３０を検索する設定になっていなかったとしても、一定時間内にキー操作信号を取得しなかった場合（ステップＳ１０１；Ｎｏ）、制御装置１８は、制御部１８ｅの機能により、設定を切り替えて無線ＬＡＮ通信部１３にアクセスポイント３０を検索させる（無線ＬＡＮ通信部１３を一時的にＯＮ状態にする）。この場合、制御装置１８は、例えば後述のステップＳ１０３の処理を実行後、無線ＬＡＮ通信部１３を再度ＯＦＦ状態にする。
【００４８】
無線ＬＡＮ接続が確立されている場合（ステップＳ１０２；Ｙｅｓ）、制御装置１８は、処理をステップＳ１０３に進める。
一方、無線ＬＡＮ接続が確立されていない場合（ステップＳ１０２；Ｎｏ）、携帯端末１０は、ユーザの把握範囲内にない可能性がある。この場合、制御装置１８は、処理をステップＳ１０４に進める。
【００４９】
ステップＳ１０３で、制御装置１８は、ポート処理部１８ａの機能により、現在の無線ＬＡＮ接続先のネットワークが、制御メモリ１７に格納されたポート情報ＰＩが示すネットワーク（前述のように、予め指定され、携帯端末１０がユーザの把握範囲内にあるとみなせるホームネットワーク、会社内のイントラネット等）に一致するか否かを判別する。
【００５０】
接続先が予め指定したネットワークである場合（ステップＳ１０３；Ｙｅｓ）、携帯端末１０はユーザの把握範囲内であるとみなせる。この場合、制御装置１８は、処理をステップＳ１０１へ戻す。一方、接続先が予め指定したネットワークでない場合（ステップＳ１０３；Ｎｏ）、携帯端末１０がユーザの把握範囲内にない可能性がある。この場合、制御装置１８は、処理をステップＳ１０４に進める。
【００５１】
ステップＳ１０４で、制御装置１８は、履歴処理部１８ｂの機能により、非接触ＩＣ部１４に書き込まれた利用履歴データを読み出して、携帯端末１０が、現在、公共交通機関の内にあるか外にあるかを判別する。
【００５２】
携帯端末１０が公共交通機関の外にあると判別した場合（ステップＳ１０４；外）、制御装置１８は、処理をステップＳ１０５に進める。
一方、携帯端末１０が公共交通機関の内にあると判別した場合（ステップＳ１０４；内）、制御装置１８は、処理をステップＳ１０６に進める。
【００５３】
ステップＳ１０５で、制御装置１８は、動作処理部１８ｃの機能により、加速度センサ１５からの加速度データに基づいて、加速度反応があるか否か（つまり、携帯端末１０が移動しているか否か）を判別する。具体的には、一定時間内に加速度データを取得していれば、制御装置１８は、携帯端末１０が動いていると判別する。なお、予め所定の閾値を制御メモリ１７に格納し、制御装置１８は、取得した加速度データが示す値がこの閾値を超えた場合に携帯端末１０が動いていると判別してもよい。このようにステップＳ１０５の処理を、携帯端末１０が公共交通機関の外にある場合（ステップＳ１０４；外）にのみ実行する理由は、携帯端末１０が公共交通機関の内にある場合に加速度判定をすると、例えば電車内に携帯端末１０を置き忘れた場合は電車の運行により携帯端末１０に加速度が生じてしまい、携帯端末１０を所持したユーザが歩行等している場合と区別できなくなるためである。
なお、加速度センサ１５がＯＦＦ状態に設定されていたとしても、携帯端末１０が公共交通機関の外である場合（ステップＳ１０４；外）、制御装置１８は、制御部１８ｅの機能により、加速度センサ１５を一時的にＯＮ状態にする。この場合、制御装置１８は、例えばステップＳ１０５の処理を実行後、加速度センサ１５を再度ＯＦＦ状態にする。
【００５４】
加速度反応があった場合（ステップＳ１０５；Ｙｅｓ）、ユーザが携帯端末１０を所持している可能性が高い（つまり、携帯端末１０がユーザの把握範囲内にある可能性が高い）。この場合、制御装置１８は、処理をステップＳ１０１へ戻す。
一方、加速度反応が無かった場合（ステップＳ１０５；Ｎｏ）、置き忘れ等の可能性がある（つまり、携帯端末１０は、ユーザの把握範囲内にない可能性がある）。この場合、制御装置１８は、処理をステップＳ１０６に進める。
【００５５】
ステップＳ１０６で、制御装置１８は、携帯端末１０と他のＢＴ機器との間でＢＴ接続が確立されているか否かを判別する。具体的には、制御装置１８は、一定時間内にＢＴ通信部１６が他のＢＴ機器からデータを送受信している場合にはＢＴ接続有りと判別し、そうでない場合はＢＴ接続無しと判別する。
なお、携帯端末１０の設定が、ＢＴ機器を検索する設定になっていなかったとしても、携帯端末１０が公共交通機関内である場合（ステップＳ１０４；内）又は携帯端末１０に加速度反応がなかった場合（ステップＳ１０５；Ｎｏ）には、制御装置１８は、制御部１８ｅの機能により、設定を切り替え、ＢＴ通信部１６にＢＴ機器を検索させる（ＢＴ通信部１６を一時的にＯＮ状態にする）。この場合、制御装置１８は、例えば後述のステップＳ１０７の処理を実行後、ＢＴ通信部１６を再度ＯＦＦ状態にする。
【００５６】
ＢＴ接続が確立されている場合（ステップＳ１０６；Ｙｅｓ）、制御装置１８は、処理をステップＳ１０７に進める。
一方、ＢＴ接続が確立されていない場合（ステップＳ１０６；Ｎｏ）、制御装置１８は、処理をステップＳ１０８に進める。
【００５７】
ステップＳ１０７で、制御装置１８は、ＢＴ通信処理部１８ｄの機能により、ＢＴ接続先のＢＴ機器が、予め指定したＢＴ機器（つまり、子機２０）か否かを判別する。具体的には、制御装置１８は、ＢＴ接続先のＢＴ機器のリンクキーＬＫが、制御メモリ１７に格納された子機２０のリンクキーＬＫと一致した場合、ＢＴ接続先が子機２０であると判別する。
【００５８】
ＢＴ接続先が子機２０であった場合（ステップＳ１０７；Ｙｅｓ）、携帯端末１０は子機２０の近くにあり、ユーザの把握範囲内であるといえる。この場合、制御装置１８は、処理をステップＳ１０１へ戻す。
一方、ＢＴ接続先が子機２０以外のＢＴ機器であった場合（ステップＳ１０７；Ｎｏ）、制御装置１８は、処理をステップＳ１０８に進める。
【００５９】
ＢＴ接続がなかった場合（ステップＳ１０６；Ｙｅｓ）又はＢＴ接続先が子機２０以外であった場合（ステップＳ１０７；Ｎｏ）、携帯端末１０は紛失状態にあるものとして、制御装置１８は、セキュリティ処理部１８ｆの機能により、ロック処理を実行し（ステップＳ１０８）、処理を終了する。
【００６０】
本実施形態に係る携帯端末１０は、子機２０とＢＴ通信を行うＢＴ通信部１６と、アクセスポイント３０と無線ＬＡＮ通信を行う無線ＬＡＮ通信部１３と、改札機４０のリーダ／ライタ部４１と近接型の無線通信を行う非接触ＩＣ部１４と、携帯端末１０がユーザの把握範囲内にあるか（つまり、指定範囲内に位置しているか）否かを判別するためのポート情報ＰＩ、エリア情報ＡＩ等を記憶する制御メモリ１７と、を備える。
また、携帯端末１０の制御装置１８は、ＢＴ通信部１６と子機２０との間でＢＴ接続が確立されているかを判別し、無線ＬＡＮ通信部１３及び／又は非接触ＩＣ部１４が受信した情報と制御メモリ１７が記憶しているポート情報ＰＩ、エリア情報ＡＩ等とに基づいて、携帯端末１０がユーザの把握範囲内にあるか否かを判別する。
そして、制御装置１８は、子機２０との間でＢＴ接続が確立されていないと判別し、且つ、携帯端末１０がユーザの把握範囲内にないと判別した場合には携帯端末１０の機能の少なくとも一部の機能をロックするロック設定を実行し、子機２０との間でＢＴ接続が確立されていないと判別した場合であっても、携帯端末１０がユーザの把握範囲内にあると判別した場合にはロック設定を実行しない。
これにより、ユーザが把握範囲内であると指定した範囲（例えば、携帯端末１０の紛失・不正使用のおそれが少ない家、会社等）内においては、子機２０を所持せず、携帯端末１０と子機２０が通信可能距離よりも離れてしまった場合でも、ロック設定が実行されない。このように、本実施形態に係る携帯端末１０によれば、携帯端末１０のおかれた状況に応じて適切に自動ロック設定をすることができる。
【００６１】
また、携帯端末１０は、加速度センサ１５を備え、制御装置１８は、加速度センサ１５から加速度データを取得し、取得した加速度データに基づいて自機が移動しているか否かを判別する。そして、この判別結果と利用履歴情報と制御メモリ１７が記憶しているエリア情報ＡＩとに基づいて、制御装置１８は、携帯端末１０が予め指定した公共交通機関のエリア外に位置し、且つ、携帯端末１０が移動していると判別した場合に、携帯端末１０がユーザの把握範囲内であると判別し、この場合、ロック設定を実行しない。
このように、携帯端末１０を所持したユーザが移動していると想定される場合は、制御装置１８は、ユーザの予測範囲内にある（つまり、指定範囲内に位置している）ものとし、ロック設定を実行しない。よって、携帯端末１０は、自機のおかれた状況に応じてロック解除状態を維持したり、ロック設定を実行したりすることができ、ユーザの携帯端末１０の使用状況に応じて、適切にロック設定動作を行うため、ユーザフレンドリである。
【００６２】
また、携帯端末１０は、操作部１１を備え、制御装置１８は、操作部１１から取得したキー操作信号に基づいて一定期間内にユーザの入力操作があったか否かを判別する。
そして、この判別結果と、無線ＬＡＮ通信部１３及び／又は非接触ＩＣ部１４が受信した情報とポート情報ＰＩ、エリア情報ＡＩ等とに基づいて、制御装置１８は、携帯端末１０がユーザの把握範囲内にあるか否かを判別する。
これにより、キー操作信号を一定期間内に取得した場合には、制御装置１８は、ユーザによる操作があった、つまり、携帯端末１０はユーザの把握範囲内にあると判別し、携帯端末１０と子機２０とが離れている（通信可能範囲外にある）場合であっても、ロック解除状態を維持できる。このように、制御装置１８は、携帯端末１０の各部からの種々の情報に基づいて、適宜、ロック設定／ロック解除状態維持を行うことができるため、様々な使用条件に応じて、適切にロック設定を実行することができる。
【００６３】
（変形例）
自動ロック設定処理は、上記実施形態で説明したものに限られず、自動でロック設定させたい状況に応じて様々な構成が考えられる。必要とするセキュリティのレベル等に応じて、処理を増減させたり、条件を変形してもよい。
図６に示す変形例に係る自動ロック設定処理は、キー操作信号を取得したか否かを判別する処理（ステップＳ１０１）を省略したものである。このような構成にすることで、他人が不正に操作部１１を操作しているような場合であっても、自動ロックを設定することが可能である。
【００６４】
また、図６において、上記実施形態と同一の符号を付した処理の内容は前述と同様であるが、制御装置１８が、履歴処理部１８ｂの機能により、携帯端末１０が、現在、公共交通機関の内にあるか外にあるかを判別した場合（図示するステップＳ２０４）に、次に進める処理が異なる。図６に示す自動ロック設定処理は、携帯端末１０が公共交通機関の内にあると判別した場合には（ステップＳ２０４；内）、ユーザが携帯端末１０を所持して電車に乗車している可能性が高い（つまり、携帯端末１０がユーザの把握範囲内である）として、処理をステップＳ１０２に戻す点で、前述の自動ロック処理と異なる。このように変形してもよい。
【００６５】
また、以上説明した実施形態においては、携帯端末１０と子機２０とはＢＴ仕様を満たす無線通信を行う例を示したが、ＵＷＢ（Ultra Wide Band）、Ｚ−Ｗａｖｅ、ＺｉｇＢｅｅ等の他の近距離無線通信規格に準拠する通信も可能である。
【００６６】
また、制御装置１８がリンクキーＬＫに基づいて子機２０を判別する例を示したが、制御装置１８は、予め登録した（制御メモリ１７に記憶させた）子機２０のＰＩＮ（Personal Identification Number）（図示せず）に基づいて子機２０を判別してもよい。
【００６７】
また、制御装置１８がポート情報ＰＩに基づいて予め指定していたネットワークを判別する例を示したが、制御装置１８は、単にアクセスポイント３０の識別子ＩＤに基づいてネットワークを判別してもよい。
【００６８】
また、携帯端末１０の非接触ＩＣ部１４と通信を行う機器の一例として、改札機４０のリーダ／ライタ部４１を挙げたがこれに限られない。例えば、バスや空港に備えられたリーダ／ライタであってもよい。また、公共交通機関でなくとも、会社、工場等の施設の入退場口に設けられるリーダ／ライタであってもよく、この場合、制御装置１８が、携帯端末１０が会社や工場内にあると判別した場合は、携帯端末１０がユーザの把握範囲内にあるものとして（処理をステップＳ１０１に戻す等して）自動ロック設定処理を構成すればよい。
【００６９】
また、自動ロック設定処理を制御装置１８が実行するためのプログラムＰＧは、制御メモリ１７に予め記憶されているものとして説明したが、このような動作プラグラム及び各種データは、携帯端末１０に含まれるコンピュータに対して、着脱自在の記録媒体により配布・提供されてもよい。さらに、動作プログラム及び各種データは、電気通信ネットワーク等を介して接続された他の機器からダウンロードすることによって配布されるようにしてもよい。
【００７０】
そして、各処理の実行形態も、着脱自在の記録媒体を装着することにより実行するものだけではなく、電気通信ネットワーク等を介してダウンロードした動作プログラム及び各種データを内蔵の記憶装置に一旦格納することにより実行可能としてもよいし、電気通信ネットワーク等を介して接続された他の機器側のハードウェア資源を用いて直接実行してもよい。さらには、他の機器と電気通信ネットワーク等を介して各種データの交換を行うことにより各処理を実行してもよい。
【００７１】
上記の実施形態の一部又は全部は、以下の付記のようにも記載されうるが、以下には限られない。
【００７２】
（付記１）
携帯端末であって、
前記携帯端末のユーザが所持することが想定されている子機と無線通信を行う第１の無線通信手段と、
前記第１の無線通信手段と前記子機との間で無線接続が確立されているか否かを判別する第１の判別手段と、
前記子機以外の外部機器と無線通信を行う第２の無線通信手段と、
前記携帯端末が指定範囲内に位置しているか否かを判別するための基本情報を記憶する記憶手段と、
前記第２の無線通信手段が受信した情報と前記記憶手段が記憶している前記基本情報とに基づいて、前記携帯端末が前記指定範囲内に位置しているか否かを判別する第２の判別手段と、
前記携帯端末の機能の少なくとも一部の機能をロックするロック設定を実行するロック設定手段と、を備え、
前記第２の無線通信手段は、
所定のＬＡＮに接続して無線ＬＡＮ通信を行う無線ＬＡＮ通信部と、外部のリーダ／ライタ部と近接型の無線通信を行う非接触ＩＣ部のいずれか一方又は両方を含み、
前記ロック設定手段は、
前記第１の判別手段が前記無線接続が確立されていないと判別し、且つ、前記第２の判別手段が前記携帯端末が前記指定範囲内に位置していないと判別した場合にはロック設定を実行し、前記第１の判別手段が前記無線接続が確立されていないと判別した場合であっても、前記第２の判別手段が前記携帯端末が前記指定範囲内に位置していると判別した場合にはロック設定を実行しない、
ことを特徴とする携帯端末。
【００７３】
（付記２）
前記第２の無線通信手段は、前記無線ＬＡＮ通信部を含み、
前記記憶手段が記憶する前記基本情報は、前記無線ＬＡＮ通信部の接続先の予め指定したネットワークを示す情報を含み、
前記第２の判別手段は、前記無線ＬＡＮ通信部が受信した情報と前記予め指定したネットワークを示す情報とに基づいて、前記無線ＬＡＮ通信部が前記予め指定したネットワークと接続している場合に、前記携帯端末が前記指定範囲内に位置していると判別する、
ことを特徴とする付記１に記載の携帯端末。
【００７４】
（付記３）
前記第２の無線通信手段は、前記非接触ＩＣ部を含み、
前記記憶手段が記憶する前記基本情報は、予め指定したエリアを示す情報を含み、
前記第２の無線通信手段が受信した情報は、前記非接触ＩＣ部が前記外部のリーダ／ライタ部から受信した所定エリアの利用履歴情報を含み、
前記第２の判別手段は、前記利用履歴情報と前記予め指定したエリアを示す情報とに基づいて、前記携帯端末が前記予め指定したエリア内に位置している場合に、前記携帯端末が前記指定範囲内に位置していると判別する、
ことを特徴とする付記１又は２に記載の携帯端末。
【００７５】
（付記４）
前記第２の無線通信手段は、前記非接触ＩＣ部を含み、
前記記憶手段が記憶する前記基本情報は、予め指定したエリアを示す情報を含み、
前記第２の無線通信手段が受信した情報は、前記非接触ＩＣ部が前記外部のリーダ／ライタ部から受信した所定エリアの利用履歴情報を含み、
前記携帯端末は、
前記携帯端末の加速度を検出し、検出した加速度の値を示す加速度情報を生成する加速度センサと、
前記加速度センサから前記加速度情報を取得し、取得した前記加速度情報に基づいて前記携帯端末が移動しているか否かを判別する第３の判別手段と、をさらに備え、
前記第２の判別手段は、
前記利用履歴情報と前記予め指定したエリアを示す情報と第３の判別手段による判別結果とに基づいて、前記携帯端末が前記予め指定したエリア外に位置し、且つ、前記第３の判別手段が前記携帯端末が移動していると判別した場合に、前記携帯端末が前記指定範囲内に位置していると判別する、
ことを特徴とする付記１又は２に記載の携帯端末。
【００７６】
（付記５）
ユーザの入力操作に応じて操作信号を生成する操作手段と、
前記操作手段から前記操作信号を取得し、取得した前記操作信号に基づいて一定期間内にユーザの入力操作があったか否かを判別する第４の判別手段と、をさらに備え、
前記第２の判別手段は、
前記第２の無線通信手段が受信した情報と前記基本情報と第４の判別手段による判別結果とに基づいて、前記携帯端末が前記指定範囲内に位置しているか否かを判別する、
ことを特徴とする付記１乃至４のいずれか１項に記載の携帯端末。
【００７７】
（付記６）
子機との間で無線接続が確立されているか否かを判別するステップと、
前記子機以外の外部機器と無線通信を行うステップと、
携帯端末が指定範囲内に位置しているか否かを判別するための基本情報を記憶するステップと、
前記外部機器から受信した情報と記憶している前記基本情報とに基づいて、前記携帯端末が前記指定範囲内に位置しているか否かを判別するステップと、
前記携帯端末の機能の少なくとも一部の機能をロックするロック設定を実行するステップと、を備え、
前記子機以外の外部機器と無線通信は、所定のＬＡＮに接続して行う無線ＬＡＮ通信と、外部のリーダ／ライタ部と行う近接型の無線通信のいずれか一方又は両方を含み、
前記子機との間で無線接続が確立されていないと判別し、且つ、前記携帯端末が前記指定範囲内に位置していないと判別した場合にはロック設定を実行し、前記子機との間で前記無線接続が確立されていないと判別した場合であっても、前記携帯端末が前記指定範囲内に位置していると判別した場合にはロック設定を実行しない、
ことを特徴とする自動ロック設定方法。
【００７８】
（付記７）
コンピュータに、
子機との間で無線接続が確立されているか否かを判別する処理と、
前記子機以外の外部機器と無線通信を行う処理と、
携帯端末が指定範囲内に位置しているか否かを判別するための基本情報を記憶する処理と、
前記外部機器から受信した情報と記憶している前記基本情報とに基づいて、前記携帯端末が前記指定範囲内に位置しているか否かを判別する処理と、
前記携帯端末の機能の少なくとも一部の機能をロックするロック設定を実行する処理と、を実行させ、
前記子機以外の外部機器と無線通信は、所定のＬＡＮに接続して行う無線ＬＡＮ通信と、外部のリーダ／ライタ部と行う近接型の無線通信のいずれか一方又は両方を含み、
前記子機との間で無線接続が確立されていないと判別し、且つ、前記携帯端末が前記指定範囲内に位置していないと判別した場合にはロック設定を実行し、前記子機との間で前記無線接続が確立されていないと判別した場合であっても、前記携帯端末が前記指定範囲内に位置していると判別した場合にはロック設定を実行しない処理と、
を実行させるプログラム。
【符号の説明】
【００７９】
１…自動ロック設定システム
１０…携帯端末
１１…操作部
１２…表示部
１３…無線ＬＡＮ通信部
１４…非接触ＩＣ部
１５…加速度センサ
１６…ＢＴ通信部
１７…制御メモリ
１８…制御装置
１８ａ…ポート処理部
１８ｂ…履歴処理部
１８ｃ…動作処理部
１８ｄ…ＢＴ通信処理部
１８ｅ…制御部
１８ｆ…セキュリティ処理部
２０…子機
２１…ＢＴ通信部
２２…制御メモリ
２３…ＣＰＵ
３０…アクセスポイント
４０…改札機
４１…リーダ／ライタ部
【図１】
2012191437.tif 000003
【図２】
2012191437.tif 000004
【図３】
2012191437.tif 000005
【図４】
2012191437.tif 000006
【図５】
2012191437.tif 000007
【図６】
2012191437.tif 000008